(57)【要約】      （修正有）【課題】横方向に複数並べた植木等の給水対象に同時に給水することができる給水装置を提供する。【解決手段】給水源１０に接続される受水部２０と、受水部２０から横方向に延びる給水パイプ３０と、給水パイプ３０に対し、給水パイプ３０の軸線方向と直交する方向に開けられた複数対の孔３１，３２と、先端に円錐部を有するネジ体５０であって、複数対の孔３１，３２に対しそれぞれ、一方の孔３１とネジ結合し、他方の孔３２に対し、先端の円錐部が給水パイプ３０の内側から離当接可能なネジ体５０とを備えている。給水パイプ３０の端部には、上方に延びるエア抜き用のエア抜きパイプ３５が設けられている。他方の孔３２には、給水パイプ３０の外方に向かって突出する筒状の吐出口が設けられている。【選択図】図１
2019092466.tif 000002
【特許請求の範囲】
【請求項１】
給水源（１０）に接続される受水部（２０）と、
この受水部（２０）から横方向に延びる給水パイプ（３０）と、
この給水パイプ（３０）に対し、該給水パイプ（３０）の軸線方向と直交する方向に開けられた複数対の孔（３１，３２）と、
先端に円錐部（５２）を有するネジ体（５０）であって、前記複数対の孔（３１，３２）に対しそれぞれ、一方の孔（３１）とネジ結合し、他方の孔（３２）に対し、先端の円錐部（５２）が前記給水パイプ（３０）の内側から離当接可能なネジ体（５０）と、
を備えていることを特徴とする給水装置。
【請求項２】
請求項１において、
前記給水パイプ（３０）の端部には、上方に延びるエア抜き用のエア抜きパイプ（３５）が設けられていることを特徴とする給水装置。
【請求項３】
請求項１または２において、
前記他方の孔（３２）には、給水パイプ（３０）の外方に向かって突出する筒状の吐出口（３６）が設けられていることを特徴とする給水装置。
【請求項４】
請求項３において、
前記筒状の吐出口（３６）には、給水チューブ（３７）が選択的に接続可能であることを特徴とする給水装置。
【発明の詳細な説明】
【技術分野】
【０００１】
本発明は、給水装置に関する。主として植木等の植物に給水するのに適した給水装置に関するものである。
【背景技術】
【０００２】
従来、例えば特許文献１に見られるように、給水量調節ネジ９で給水ノズル１０の水量を調節するようにした給水装置が知られている。
【０００３】
しかし、この給水装置は、同文献図５に示されるように、給水対象である植木等の上部に吊して使用するものであるため、横方向に複数並べた植木等の給水対象に同時に給水することはできない。
【先行技術文献】
【特許文献】
【０００４】
【特許文献１】特開２０１１−２３９７６２号公報
【発明の概要】
【発明が解決しようとする課題】
【０００５】
本発明が解決しようとする課題は、横方向に複数並べた植木等の給水対象に同時に給水することができる給水装置を提供することである。
【課題を解決するための手段】
【０００６】
上記課題を解決するために本発明の給水装置は、
給水源に接続される受水部と、
この受水部から横方向に延びる給水パイプと、
この給水パイプに対し、該給水パイプの軸線方向と直交する方向に開けられた複数対の孔と、
先端に円錐部を有するネジ体であって、前記複数対の孔に対しそれぞれ、一方の孔とネジ結合し、他方の孔に対し、先端の円錐部が前記給水パイプの内側から離当接可能なネジ体と、
を備えていることを特徴とする。
【０００７】
この給水装置によれば、
給水源に接続される受水部から横方向に延びる給水パイプを通じて横方向に水が供給され、その水は、給水パイプに対し、該給水パイプの軸線方向と直交する方向に開けられた複数対の孔のうち、前記他方の孔それぞれから放水され得る。
したがって、この給水装置によれば、横方向に複数並べた植木等の給水対象に同時に給水することができる。
しかも、給水パイプに対し、該給水パイプの軸線方向と直交する方向に開けられた複数対の孔には、先端に円錐部を有するネジ体であって、前記複数対の孔に対しそれぞれ、一方の孔とネジ結合し、他方の孔に対し、先端の円錐部が前記給水パイプの内側から離当接可能なネジ体が設けられているので、このネジ体の先端の円錐部によって、前記他方の孔を閉じたり、開いたりすることができ、また、開度も調整することができる。
したがって、横方向に複数並べられた植木等の給水対象の位置に応じた適切な位置の孔を開きかつ給水量を調整して給水することができる。
【０００８】
この給水装置においては、
前記給水パイプの端部には、上方に延びるエア抜き用のエア抜きパイプが設けられている構成とすることができる。
このように構成すると、給水源に接続される受水部から離れた位置の孔に対しても円滑に水を供給することができる。
【０００９】
この給水装置においては、
前記他方の孔には、給水パイプの外方に向かって突出する筒状の吐出口が設けられている構成とすることができる。
このように構成すると、筒状の吐出口を利用してその先端から円滑な給水を行うことができる。
【００１０】
この給水装置においては、
前記筒状の吐出口には、給水チューブが選択的に接続可能である構成とすることができる。
このように構成すると、必要に応じ、筒状の吐出口に給水チューブを接続することにより、給水パイプから離れた位置にある植木等の給水対象にも良好に給水することが可能となる。
【図面の簡単な説明】
【００１１】
【図１】（ａ）は本発明に係る給水装置の実施の形態を示す正面図、（ｂ）は使用状態説明図。
【図２】（ａ）（ｂ）はそれぞれ図１における２−２断面図。
【図３】（ａ）（ｂ）はそれぞれ変形例を示す断面図。
【発明を実施するための形態】
【００１２】
以下、本発明に係る給水装置の実施の形態について図面を参照して説明する。なお、各図において、同一部分ないし相当する部分には、同一の符号を付してある。
【００１３】
図１、図２に示すように、この実施の形態の給水装置１は、給水源１０に接続される受水部２０と、この受水部２０から横方向に延びる給水パイプ３０と、この給水パイプ３０に対し、該給水パイプ３０の軸線方向と直交する方向に開けられた複数対の孔３１，３２と、先端に円錐部５２を有するネジ体であって、前記複数対の孔３１，３２に対しそれぞれ、一方の孔３１とネジ結合し、他方の孔３２に対し、先端の円錐部５２が給水パイプ３０の内側から離当接可能なネジ体５０と、を備えている。
【００１４】
この給水装置１によれば、給水源１０に接続される受水部２０から横方向に延びる給水パイプ３０を通じて横方向に水Ｗが供給され、その水Ｗは、給水パイプ３０に対し、給水パイプ３０の軸線方向と直交する方向に開けられた複数対の孔３１，３２のうち、前記他方の孔３２それぞれから放水され得る（図２（ｂ）参照）。
【００１５】
したがって、この給水装置によれば、例えば図１（ｂ）に示すように横方向に複数並べた植木等の給水対象６０に同時に給水することができる。
【００１６】
しかも、給水パイプ３０に対し、給水パイプ３０の軸線方向と直交する方向に開けられた複数対の孔３１，３２には、先端に円錐部５２を有するネジ体５０であって、複数対の孔３１，３２に対しそれぞれ、一方の孔３１とネジ結合し、他方の孔３２に対し、先端の円錐部５２が給水パイプ３０の内側から離当接可能なネジ体５０が設けられているので、このネジ体５０を回動操作することで、先端の円錐部５２によって、図２（ａ）に示すように他方の孔３２を閉じたり、図２（ｂ）に示すように開いて給水したりすることができ、また、開度を調整して給水量も調整することができる。
【００１７】
したがって、横方向に複数並べられた植木等の給水対象６０の位置に応じた適切な位置の孔３２を開きかつ給水量を調整して各給水対象６０に応じた給水を行うことができる。
例えば、図１（ｂ）に示すように、複数のネジ体５０のうち、植木等の給水対象６０の位置に応じた適切な位置の孔３２に対応するネジ体５０’を開操作して、各給水対象６０に応じた適量の給水を行うことができる。
【００１８】
給水源１０としては、水道、水槽等、適宜の給水源を利用することができる。
１１は公知のタイマー機能付き電磁弁であり、給水源１０と受水部２０との間の配管１２に介装されている。したがって、給水源１０から受水部２０への給水は、タイマー機能付き電磁弁１１の設定によって、適宜の時刻に適宜の時間行うことができる。１３は手動開閉バルブである。
【００１９】
図１に示すように、給水パイプ３０の端部には、上方に延びるエア抜き用のエア抜きパイプ３５が設けられている。
このように構成すると、給水源１０に接続される受水部２０から離れた位置の孔（例えば端部の孔３２’）に対しても円滑に水を供給することができる。
エア抜きパイプ３５があることによって、受水部２０から給水パイプ２０に流入する水Ｗの流れが良好になるためである。また、エア抜きパイプ３５の上下方向中間部に水面３５Ｗが達するように給水源１０から受水部２０への給水量および各孔３２の開度を調整することで、受水部２０から離れた位置の孔（例えば端部の孔３２’）における水圧を確保できるためである。したがって、エア抜きパイプ３５を設けることによって、例えば図１に示すように、受水部２０から遠ざかるにしたがって給水パイプ３５が上方に傾斜する場合でも（傾斜角をθ１で示す）、受水部２０から離れた位置の孔に対して確実に水を供給することができるようになる。
【００２０】
また、エア抜きパイプ３５を設けることによって、給水終了時の、給水パイプ３０内の孔３２からの排水も円滑化される。
【００２１】
前記他方の孔３２には、給水パイプ３０の外方に向かって突出する筒状の吐出口３６が設けられている。
このように構成すると、筒状の吐出口３６を利用してその先端３６ｃから円滑な給水を行うことができる。
【００２２】
例えば図３（ａ）に示すように、孔３１，３２の軸線Ａ１は鉛直線Ｖに対して傾けることができる（傾斜角度をθ２で示す）。
これによって、給水パイプ３０の直下以外に配置された給水対象にも給水できるようになる。
また、上記筒状の吐出口３６を設けることで水の吐出方向を定めやすくなるため、給水パイプ３０の直下以外に配置された給水対象に対しても確実な給水を行いやすくなる。
【００２３】
図３（ｂ）に示すように、筒状の吐出口３６には、給水チューブ３７が選択的に接続可能である。
このように構成すると、必要に応じ、筒状の吐出口３６に給水チューブ３７を接続することにより、給水パイプ３０から離れた位置にある植木等の給水対象６０にも良好に給水することが可能となる。給水チューブ３７の長さは給水対象までの距離に応じて適宜設定することができる。
【００２４】
受水部２０、給水パイプ３０、エア抜きパイプ３５、筒状の吐出口３６、およびネジ体５０の各部の寸法は適宜設定することができる。また、いずれも適宜の材料、例えば、合成樹脂や金属で構成することができる。例えば、受水部２０、給水パイプ３０、エア抜きパイプ３５、および筒状の吐出口３６は硬質ポリ塩化ビニール製のものを採用し、ネジ体５０は鉄製、ステンレス製のものを採用する。給水チューブ３７は、可撓性を有する合成樹脂製チューブまたはゴムチューブを採用することができる。
受水部２０はＴ字管で構成できる。エア抜きパイプ３５は給水パイプ３０に対してエルボ３５ｅで接続できる。
筒状の吐出口３６は給水パイプ３０に対し、接着または溶着等で接続することができる。他方の孔３２にも一方の孔３１と同様に雌ネジを形成し、筒状の吐出口３６をネジ結合させることもできる。
給水源１０、タイマー機能付き電磁弁１１、手動開閉バルブ１３、および受水部２０の設置場所は適宜設定できる。配管１２は塩ビホースで構成できる。
【００２５】
以上、本発明の実施の形態について説明したが、本発明は上記の実施の形態に限定されるものではなく、本発明の要旨の範囲内において適宜変形実施可能である。
例えば、
【００２６】
受水部２０の横方向に設ける給水パイプ３０の配置の形態は適宜設定できる。例えば、図１に示した給水パイプ３０は、受水部２０の左右に対称的に一対設けたが、左右非対称とすることもできる。また、受水部２０の一方側（左側または右側）にのみ設けることもできるし、左右だけでなく前後方向にも設けて平面視十字状とすることもできる。勾配θ１は設けなくてもかまわない。
【００２７】
給水パイプ３０に設ける対をなす孔３１，３２の数および孔３１，３２同士の間隔は適宜設定できる。
【００２８】
エア抜きパイプ３５の長さ、太さは適宜設定することができる。エア抜きパイプ３５は給水パイプ３０よりも太いものとすることもできる。
【符号の説明】
【００２９】
１０：    給水源
２０：    受水部
３０：    給水パイプ
３１：    一方の孔
３２：    他方の孔
３５：    エア抜きパイプ
３６：    吐出口
３７：    給水チューブ
５０：    ネジ体
５２：    円錐部
【図１】
2019092466.tif 000003
【図２】
2019092466.tif 000004
【図３】
2019092466.tif 000005